(57)【特許請求の範囲】
【請求項１】
飲み口が形成された巻締部の径が小さい方から第１〜第３の順で少なくとも３種類の飲料用缶のそれぞれについて前記巻締部を押し込むことで密着するように装着できる缶用キャップであって、
前記第１〜第３飲料用缶は外側に向けて巻締された前記巻締部の下側にくびれ部を有しており、
天壁部と、
前記天壁部の一面側から略垂直方向に突出し、前記第１飲料用缶の前記巻締部に外側から嵌合し且つ前記くびれ部に係合する第１嵌合部外面を内側にもち、前記第２飲料用缶の前記巻締部の内周に嵌合する第２嵌合部内面を外側にもち、突出方向の先端が前記第１飲料用缶の前記巻締部の外周の径と前記第２飲料用缶の前記巻締部の内周の径との間の径をもつ第１周壁部と、
前記天壁部の一面側から略垂直方向に突出し、前記第２飲料用缶の前記巻締部の外周に嵌合し且つ前記くびれ部に係合する第２嵌合部外面を内側にもつ前記第１周壁部よりも前記突出方向の長さが短い第２周壁部と、
前記第２周壁部の先端部近傍から外側に向けて形成される拡径部と、
前記第２周壁部と略平行方向に前記拡径部から突出し、前記第３飲料用缶の前記巻締部の外周に嵌合し且つ前記くびれ部に係合する第３嵌合部外面を内側にもつ前記第２周壁部と合わせた前記突出方向の長さが前記第１周壁部よりも長い第３周壁部と、
を有する缶用キャップ。
【請求項２】
前記第１嵌合部外面、前記第２嵌合部外面、及び前記第３嵌合部外面のうちの少なくとも１つは周方向に断続的に設けられた縮径方向に突出する複数のリブにより前記くびれ部に係合する請求項１に記載の缶用キャップ。
【請求項３】
前記複数のリブのうちの一部は前記複数のリブの残部よりも周方向の長さが短い請求項２に記載の缶用キャップ。
【請求項４】
前記第２嵌合部内面が前記突出方向に向けて縮径方向に傾斜するように、前記第１周壁部は先細になる請求項１〜３の何れか１項に記載の缶用キャップ。
【請求項５】
前記第３周壁部から拡径方向に拡張形成され、前記飲料用缶のプルタブを開缶する際に前記飲料用缶の上蓋と前記プルタブとの間に挿入して、前記プルタブを引き起こす、先端部の表裏面の両方共に勾配が形成された先細のくさび状になった開缶補助部をもつ請求項１〜４の何れか１項に記載の缶用キャップ。
【発明の詳細な説明】
【技術分野】
【０００１】
本発明は、飲料用缶の飲み口側のある上部に装着できる缶用キャップに関する。
【背景技術】
【０００２】
プルタブ（プルトップ）式の飲料用缶は、プルタブを一度開栓すると、再度閉栓することはまず難しい。そこで、飲料用缶の飲み口側の上部を覆うように装着することができる缶用キャップがいくつか開示されている。例えば、特許文献１や特許文献２である。
【０００３】
ところで、飲料用缶は飲み口側の外縁（巻締部）の径がいくつか存在する。そのため、特許文献１や特許文献２の缶用キャップは径の大きさ毎に別々に用意する必要がある。大きさ毎にいくつも缶用キャップが存在すると、どの缶にどの大きさの缶用キャップを使えるか分かりにくく、またいくつも保持するのも煩雑である。
【先行技術文献】
【特許文献】
【０００４】
【特許文献１】特開２０１２−２４５９８１号公報
【特許文献２】特開２０００−１０９１０７号公報
【発明の概要】
【発明が解決しようとする課題】
【０００５】
本発明は、上記状況に鑑みてなされたもので、飲料用缶の飲み口側の外縁のいくつかの径に装着可能な缶用キャップを提供することを解決すべき課題とする。
【課題を解決するための手段】
【０００６】
上記課題を解決するための発明の構成上の特徴は、飲み口が形成された巻締部の径が小さい方から第１〜第３の順で少なくとも３種類の飲料用缶のそれぞれについて前記巻締部を押し込むことで密着するように装着できる缶用キャップであって、
前記第１〜第３飲料用缶は外側に向けて巻締された前記巻締部の下側にくびれ部を有しており、
天壁部と、
前記天壁部の一面側から略垂直方向に突出し、前記第１飲料用缶の前記巻締部に外側から嵌合し且つ前記くびれ部に係合する第１嵌合部外面を内側にもち、前記第２飲料用缶の前記巻締部の内周に嵌合する第２嵌合部内面を外側にもち、突出方向の先端が前記第１飲料用缶の前記巻締部の外周の径と前記第２飲料用缶の前記巻締部の内周の径との間の径をもつ第１周壁部と、
前記天壁部の一面側から略垂直方向に突出し、前記第２飲料用缶の前記巻締部の外周に嵌合し且つ前記くびれ部に係合する第２嵌合部外面を内側にもつ前記第１周壁部よりも前記突出方向の長さが短い第２周壁部と、
前記第２周壁部の先端部近傍から外側に向けて形成される拡径部と、
前記第２周壁部と略平行方向に前記拡径部から突出し、前記第３飲料用缶の前記巻締部の外周に嵌合し且つ前記くびれ部に係合する第３嵌合部外面を内側にもつ前記第２周壁部と合わせた前記突出方向の長さが前記第１周壁部よりも長い第３周壁部と、
を有することである。
【発明の効果】
【０００７】
本願発明の缶用キャップによれば、巻締部の径の異なる少なくとも３種類の飲料用缶の巻締部に装着でき、特に、開缶後は閉栓できない飲み口側を覆い隠せ、風味や炭酸などの損失を抑制し、倒してもこぼれにくい。
【図面の簡単な説明】
【０００８】
【図１】実施形態の缶用キャップを装着する飲料缶の断面図である。
【図２】実施形態の缶用キャップの横断面図（図５のＡ−Ａ断面図）である。
【図３】図２のＢの拡大図である。
【図４】実施形態の缶用キャップの平面図である。
【図５】実施形態の缶用キャップの底面図である。
【図６】実施形態の缶用キャップの斜め上方からの視認図である。
【図７】実施形態の缶用キャップの斜め下方からの視認図である。
【発明を実施するための形態】
【０００９】
本発明の代表的な実施形態を図１〜図７を参照して説明する。本実施形態に係る缶用キャップは、図１に示すように、外側に向けて巻締された巻締部９１と、巻締部９１の下側にくびれ部９２とを備える飲料用缶９の巻締部９１に装着される。飲料用缶９は、飲み口側の上蓋９３のプルタブ９４によって閉缶されており、プルタブ９４を引き上げることで開缶できる。本発明の缶用キャップは、巻締部の径の大きさが異なる３種類の飲料用缶に装着できる。そのため、必要に応じて説明をしやすくするため、径の小さい飲料用缶から第１飲料用缶９Ａ、第２飲料用缶９Ｂ、第３飲料用缶９Ｃとし、各飲料用缶の各部を区別する場合にも径の大きさに対応した同じ記号を末尾に追加して記載する。
【００１０】
（実施形態１）
本実施形態の缶用キャップ１は、図２に示すように、天壁部２と第１周壁部３と第２周壁部４と第３周壁部５と拡径部６と開缶補助部７とを有し、柔軟性のある樹脂で成形される。
【００１１】
天壁部２は、図２に示すように、飲料用缶９の上蓋９３と略平行な板状であり、缶用キャップ１が飲料用缶９に装着された状態で上蓋９３に一面側２１が対向し、上蓋９３より外部に露出する他面側の平坦部２２に広告が記載や貼り付けができる。一面側２１は、周方向で線状あるいは面状に巻締部９１と密着するように真っ直ぐである。
【００１２】
第１周壁部３は、天壁部２の一面側２１から略垂直方向に突出し、周方向に連続した円筒状で、縮径側の第１嵌合部外面３１と、拡径側の第２嵌合部内面３２とを備える。第１嵌合部外面３１は第１飲料用缶９Ａの巻締部９１Ａに外側から嵌合し、第１飲料用缶９Ａのくびれ部９２Ａに係合する。第２嵌合部内面３２は、第１嵌合部外面３１に巻締部９１Ａが嵌合する第１飲料用缶９Ａよりも巻締部９１の径が大きい第２飲料用缶９Ｂの巻締部９１Ｂの内周に嵌合する。つまり、第１周壁部３は内周面側と外周面側とがそれぞれ巻締部９１の径の大きさが異なる２種類の第１飲料用缶９Ａ、第２飲料用缶９Ｂに嵌合する。そのため、第１周壁部３は突出方向の先端３３が第１飲料用缶９Ａの巻締部９１Ａの外周の径と第２飲料用缶９Ｂの巻締部９１Ｂの内周の径との間の径である。先端３３は、図３に示すように、第２嵌合部内面３２が縮径方向に傾斜するように、一面側２１の第１周壁部３の根元の厚さよりｇ（０．８５ｍｍ）ほど狭くしたテーパ状である。
【００１３】
第２周壁部４は、天壁部２の一面側２１から略垂直方向に突出し、周方向に連続した円筒状で、第２飲料用缶の巻締部９１Ｂの外周に嵌合し、くびれ部９２Ｂに係合する縮径側の第２嵌合部外面４１を内側に有する。第２周壁部４は、巻締部９１Ｂに当接する部分が真っ直ぐに形成され、第１周壁部３よりも拡径側に位置し、第１周壁部３よりも突出方向の長さが短い。
【００１４】
第３周壁部５は、第２周壁部４の先端部近傍から拡径方向に形成される拡径部６から、第２周壁部４（第１周壁部３）と略平行に突出し、周方向に連続した円筒状で、第３飲料用缶９Ｃの巻締部９１Ｃの外周に嵌合し、くびれ部９２Ｃに係合する縮径側の第３嵌合部外面５１を内側に有する。第３嵌合部外面５１は巻締部９１Ｃに当接する部分が真っ直ぐに形成され、第２周壁部４と第３周壁部５とを合わせた突出方向の長さは第１周壁部３よりも長い。
【００１５】
第１周壁部３の第１嵌合部外面３１、第２周壁部４の第２嵌合部外面４１、第３周壁部５の第３嵌合部外面５１は、天壁部２の中心と同心円状に配置、形成される。そして、第１嵌合部外面３１は内径ｄ１が５１．７ｍｍ、第２嵌合部外面４１は内径ｄ２が５６．８ｍｍ、第３嵌合部外面５１は内径ｄ３が５９．２ｍｍである。本実施形態の缶用キャップ１は、図６及び図７に示すように、天壁部２と第２周壁部４と第３周壁部５とで一端が閉鎖され他端が開口した円筒状に形成され、開口した他端側に鍔状の開缶補助部７が形成された野球帽状である。
【００１６】
開缶補助部７は、第３周壁部５から拡径方向に拡張形成され、拡径方向端部の先端部７１が表裏面の両方共に勾配が形成された先細のくさび状である。開缶補助部７は、天壁部２の平坦部２２が紙面に略平行状態の平面図（図４）又は底面図（図５）に示すように、略三角形の鍔状をした基部７２の中央に穴７３が開口している。そして、図２及び図４に示すように、穴７３の外周を取り囲むように基部７２から突出し、先端部７１に向かってその突出量が少なくなるように形成され、且つ先端部７１側が開口した形状の引き起こし部７４が形成されている。先端部７１は、引き起こし部７４の上面を含めて表裏面の両方共に勾配が形成されており、裏面側の傾斜面７１１が基部７２に対して４０〜５０度、好ましくは約４５度で傾斜している（図２参照）。
【００１７】
第２嵌合部外面４１は、図５に示すように、縮径方向に突出する３つのリブ４２〜４４を有する。３つのリブ４２〜４４は、周方向の長さが同じで周方向等間隔に配置され、第２飲料用缶９Ｂのくびれ部９２Ｂに係合する。１つのリブ４２は、開缶補助部７のある側に位置する。
【００１８】
第１嵌合部外面３１は、縮径方向に突出する３つのリブ３４〜３６を有する。３つのリブ３４〜３６は、第１飲料用缶９Ａのくびれ部９２Ａに係合し、周方向の長さの異なる短リブ３４と長リブ３５，３６とで、短リブ３４よりも長リブ３５，３６の方が周方向の長さが長く形成されている。また、短リブ３４は開缶補助部７が形成されているのとは反対側で、第２嵌合部外面４１のリブ４２側に突出し、リブ４２に対向する位置である。長リブ３５，３６は、周方向で第２嵌合部外面４１のリブ４２を挟むように、開缶補助部７側に位置する。
【００１９】
第３嵌合部外面５１は、縮径方向に突出する３つのリブ５２〜５４を有する。３つのリブ５２〜５４は、第３飲料用缶９Ｃのくびれ部９２Ｃに係合し、周方向の長さの異なる短リブ５２と長リブ５３，５４とで、短リブ５２よりも長リブ５３，５４の方が周方向の長さが長く形成されている。そして、短リブ５２は第１嵌合部外面３１の短リブ３４の拡径側に位置し、長リブ５３は第１嵌合部外面３１の長リブ３５の拡径側に位置し、長リブ５４は第１嵌合部外面３１の長リブ３６の拡径側に位置する。更に、それぞれ同じ位置のリブの周方向の長さも同一である。
【００２０】
本実施形態の缶用キャップ１は、天壁部２の一面側２１を飲料用缶９の飲み口（プルタブ９４）のある上蓋９３に対向させるようにして、飲料用缶９の巻締部９１に押し込む。装着できる飲料用缶９は、上記した各嵌合部外面の内径に対応する３種類の第１飲料用缶９Ａ、第２飲料用缶９Ｂ、第３飲料用缶９Ｃで、３種類の飲料用缶９の何れかであれば、それぞれの大きさを気にすることなく、本実施形態の缶用キャップ１を上蓋９３上方から押し込むことで容易に径に対応した嵌合部側面に嵌合して装着することができる。また、本実施形態の缶用キャップ１は、飲料用缶９の開缶・閉缶に限定されずに装着できる。そして、飲料用缶９を開缶する際、開缶補助部７の先端部７１を飲料用缶９の上蓋９３とプルタブ９４との間に挿入して、容易にプルタブ９４を引き起こすことができる。その際、缶用キャップ１は天壁部２を上下のどちら向きでもプルタブ９４の引き起こしを容易にするが、先端部７１をよりプルタブ９４の奥側に差し込めるため天壁部２の平坦部２２を上側にした状態で挿入する方が好ましい。奥側まで差し込めるのは、先端部７１の裏面側に、基部７２の面に対して傾斜した傾斜面７１１が形成されており、上蓋９３に形成された凸部などにひっかからず、乗り越えやすいためである（図２参照）。
【００２１】
本実施形態の缶用キャップ１は、飲み口が形成された巻締部９１の径が小さい方から第１〜第３の順で少なくとも３種類の飲料用缶９のそれぞれについて巻締部９１を押し込むことで密着するように装着できる缶用キャップ１であって、記第１〜第３飲料用缶９Ａ〜９Ｃは外側に向けて巻締された巻締部９１の下側にくびれ部９２を有しており、天壁部２と、天壁部２の一面側２１から略垂直方向に突出し、第１飲料用缶９Ａの巻締部９１Ａに外側から嵌合し且つくびれ部９２Ａに係合する第１嵌合部外面３１を内側にもち、第２飲料用缶９Ｂの巻締部９１Ｂの内周に嵌合する第２嵌合部内面３２を外側にもち、突出方向の先端が第１飲料用缶９Ａの巻締部９１Ａの外周の径と第２飲料用缶９１Ｂの巻締部９１Ｂの内周の径との間の径をもつ第１周壁部３と、天壁部２の一面側２１から略垂直方向に突出し、第２飲料用缶９Ｂの巻締部９１Ｂの外周に嵌合し且つくびれ部９２Ｂに係合する第２嵌合部外面４１を内側にもつ第１周壁部３よりも突出方向の長さが短い第２周壁部４と、第２周壁部４の先端部３３近傍から外側に向けて形成される拡径部６と、第２周壁部４と略平行方向に拡径部６から突出し、第３飲料用缶９Ｃの巻締部９１Ｃの外周に嵌合し且つくびれ部９２Ｃに係合する第３嵌合部外面５１を内側にもつ第２周壁部４と合わせた突出方向の長さが第１周壁部３よりも長い第３周壁部５と、を有する。
【００２２】
本実施形態の缶用キャップ１によれば、巻締部９１の径の異なる少なくとも３種類の飲料用缶９Ａ，９Ｂ，９Ｃの巻締部９１Ａ，９１Ｂ，９１Ｃに装着でき、特に、開缶後は閉栓できない飲み口側を覆い隠せ、風味や炭酸などの損失を抑制し、倒してもこぼれにくい。そして、第１周壁部３、第２周壁部４、第３周壁部５は、周方向に連続した円筒状に形成されることで、３種類の飲料用缶９Ａ，９Ｂ，９Ｃの巻締部９１Ａ，９１Ｂ，９１Ｃに密着して装着できる。また、本実施形態の缶用キャップ１は、第２周壁部４と第３周壁部５との間に拡径部６を設けて第２周壁部４と第３周壁部５とが階段状に段差のある構造としたことで、１つの部材で径の近い２つの飲料用缶９（第２飲料用缶９Ｂと第３飲料用缶９Ｃ）に対応することができる。この段差の構造は、単に２つの飲料用缶９に対応できるだけでなく、第１周壁部３を長く形成させることができ、第２飲料用缶９Ｂが第２嵌合部内面３２と深く嵌合できる効果がある。第２飲料用缶９Ｂは、第２周壁部４の第２嵌合部外面４１と嵌合できるが、第１周壁部３の第２嵌合部内面３２と深く嵌合できるため、第２周壁部４の深さを最低限に設定できる。もし、第２周壁部４を深く設定し、更に第３周壁部５も必要な深さを設定した場合、第２周壁部４と第３周壁部５とを合わせた高さが高くなり、缶用キャップ１が深くてコンパクトではないデザインとなる。しかし、第３飲料用缶９Ｃを考慮して第３周壁部５の高さを十分確保し、第２周壁部４の高さを最低限にすることで缶用キャップ１がコンパクトにデザインできるが、第１周壁部３が長く形成されているため、第２飲料用缶９Ｂは第１周壁部３の第２嵌合部内面３２と深く嵌合でき、しっかり係合できる。また、本実施形態の缶用キャップ１は、天壁部２の一面側２１を飲料用缶９の上蓋９３に対向させる構造でありながら１つで３つの飲料用缶９に利用でき、更に小さくまとまり、見た目も野球帽状で外観がすっきりしてデザイン性も高い。
【００２３】
また、本実施形態の缶用キャップ１は、第１嵌合部外面３１、第２嵌合部外面４１、及び第３嵌合部外面５１のうちの少なくとも１つが周方向に断続的に設けられた縮径方向に突出する複数のリブ（３４，４２，５２他）によりくびれ部９２に係合する。そのため、本実施形態の缶用キャップ１は、よりくびれ部９２と係合できるため装着が外れにくく、開缶状態の飲料用缶９が傾倒した際も装着が外れにくい。また、本実施形態の缶用キャップ１は、複数のリブ（３４，４２，５２他）のうちの一部が複数のリブの残部よりも周方向の長さが短い。リブの長さの一部を短くすることで巻締部９１が押し込みやすく、長いリブではしっかりとくびれ部９２との係合を維持することができる。あるいは、開缶した状態の炭酸によって缶用キャップ１と飲料用缶９との内圧が上昇した場合、短いリブ部分で缶用キャップ１の嵌合が外れ、いきなり缶用キャップ１が外れ飛ぶのを抑制する。
【００２４】
そして、本実施形態の缶用キャップ１は、第２嵌合部内面３２が突出方向に向けて縮径方向に傾斜するように、前記第１周壁部３が先細になる。これにより、第２飲料用缶９Ｂを押し込む際、第１周壁部３が邪魔になることなく押し込むことができ、第２嵌合部内面３２の上方は第２飲料用缶９Ｂの巻締部９１Ｂの内周面に嵌合することができる。
【００２５】
更に、本実施形態の缶用キャップ１は、第３周壁部５から拡径方向に拡張形成され、飲料用缶９のプルタブ９４を開缶する際に飲料用缶９の上蓋９３とプルタブ９４との間に挿入して、プルタブ９４を引き起こす、先端部７１の表裏面の両方共に勾配が形成された先細のくさび状になった開缶補助部７をもつ。本実施形態の缶用キャップ１が先端部７１を有することで、開缶補助部７は上蓋９３とプルタブ９４との間に奥深く挿し込むことができる。本実施形態の缶用キャップ１によれば、先端７１を奥まで差し込めるため、開缶補助部７が外れることなく開缶しやすい。更に、先端７１が奥まで差し込まれると、テーパ状の引き起こし部７４の形状によって、プルタブ９４が容易に引き起こされ、先端７１を上蓋９３とプルタブ９４との間に挿し込む過程で容易に開缶することができる。
【００２６】
その他に、本実施形態の缶用キャップ１は天壁部２の他面側には広告が記載できる平坦部２２をもつ。本実施形態の缶用キャップ１によれば、販売されている飲料用缶９に、例えば社名や宣伝広告を平坦部２２に記載や貼り付けした缶用キャップ１を装着することができ、ノベルティに適している。飲料用缶９に装着された缶用キャップ１であっても、飲料用缶が使用済みとなっても再利用できるため、宣伝効果の作用が長い。更に、開缶補助部７の基部７２には、穴７３が開口しているため、穴７３にも宣伝やノベルティグッズを添付することができる。その他、穴７３にピンを挿入してどこかに留め置いたり、穴７３に紐状部材をつけてその紐状部材をどこかにかけることで、缶用キャップ１が邪魔にならずにストックできるし、平坦部２２が見える状態であれば平坦部の宣伝の広告も持続可能である。
【００２７】
（その他の実施形態）
以上、本発明の好適な実施形態について説明したが、本発明は上記実施形態に限定されるものではない。例えば、第１周壁部３、第２周壁部４、第３周壁部５のそれぞれについて必ずしも周方向で連続しておらず、分断した形状を採用することもできる。周壁部が連続する構造は密閉性を確保でき、分断した構造は押し込むのが楽である。また、周壁部の形状は、周壁部のはめ込む方向に対して真っ直ぐな形状に限定されず、天壁部２の一面側２１から離れる方向で拡径したり、あるいは縮径したりする構造を採用することができる。拡径する構造は押し込むのが楽であり、縮径する構造は缶との密着性が向上する。
【００２８】
そして、天壁部２の一面側２１は、巻締部９に当接する部分が真っ直ぐな形状に限定されず、周方向で断続的に凹凸を有する形状の構造を採用することもできる。
【００２９】
また、各リブの位置は、開缶補助部７を基準として説明した位置に限定されず、各リブの数、大きさも必要に応じて適宜変更可能である。
【００３０】
更に、開缶補助部７の基部７２の形状は略三角状に限定されず、先端７１が上蓋９３とプルタブ９４との間に挿入しやすいように突出でき、引き起こし部９４をある程度確保・保持できる構造であれば、どのような形状でも良い。
【符号の説明】
【００３１】
１・・・缶用キャップ
２・・・天壁部  ２１・・・一面側  ２２・・・平坦部
３・・・第１周壁部  ３１・・・第１嵌合部外面  ３２・・・第２嵌合部内面
３３・・・先端  ３４、５２・・・短リブ
３５、３６、５３、５４・・・長リブ
４・・・第２周壁部  ４１・・・第２嵌合部外面  ４２〜４４・・・リブ
５・・・第３周壁部  ５１・・・第３嵌合部外面
６・・・拡径部
７・・・開缶補助部  ７１・・・先端部  ７２・・・基部  ７３・・・穴
７４・・・引き起こし部
９・・・飲料用缶  ９１・・・巻締部  ９２・・・くびれ部  ９３・・・上蓋
９４・・・プルタブ
【図１】
0006359426.tif 000002
【図２】
0006359426.tif 000003
【図３】
0006359426.tif 000004
【図４】
0006359426.tif 000005
【図５】
0006359426.tif 000006
【図６】
0006359426.tif 000007
【図７】
0006359426.tif 000008